(57)【要約】      （修正有）【課題】輸送設備の水平レベルを調整し、且つ輸送設備上の物品の重量を安全範囲にコントロールして表示し、運輸安全性及び輸送効率を向上させる水平調整及び検知並びに荷重表示する輸送設備を提供する。      【解決手段】水平調整及び検知並びに荷重表示する輸送設備は、基台１００、複数の荷重検知装置２００、輸送構造３００、複数の水平調整構造４００、及び表示器５００を含む。複数の荷重検知装置は、基台上にそれぞれ設置する複数の受力センサー２１０と、複数の受力センサーを電気連接するプロセッサー２２０を含み、輸送構造は複数の受力センサー上に架設し、各水平調整構造は、それぞれ各受力センサーの側辺に設置し、且つ基台及び輸送構造の間に挟み、表示器はプロセッサーを電気連接する。【選択図】図２
0003166724.tif 000002
【実用新案登録請求の範囲】
【請求項１】
水平調整及び検知並びに荷重表示する輸送設備において、
基台と、
該基台上にそれぞれ設置する複数の受力センサーと、これら受力センサーを電気連接するプロセッサーを含む複数の荷重検知装置と、
該複数の受力センサー上に架設する輸送構造と、
これら受力センサーの側辺にそれぞれ設置し、且つ該基台及び該輸送構造の間に挟む複数の水平調整構造と、
該プロセッサーを電気連接する表示器を含むことを特徴とする水平調整及び検知並びに荷重表示する輸送設備。
【請求項２】
前記プロセッサーは、該基台に固定することを特徴とする請求項１記載の水平調整及び検知並びに荷重表示する輸送設備。
【請求項３】
前記輸送構造は、該複数の受力センサー上に架設する支持骨組み、及び該支持骨組みに設置する輸送台を含むことを特徴とする請求項１記載の水平調整及び検知並びに荷重表示する輸送設備。
【請求項４】
前記輸送台は、ローター・ユニットであることを特徴とする請求項３記載の水平調整及び検知並びに荷重表示する輸送設備。
【請求項５】
前記輸送台は、輸送ベルトであることを特徴とする請求項３記載の水平調整及び検知並びに荷重表示する輸送設備。
【請求項６】
前記複数の水平調整構造は、該基台及び該支持骨組みの間に設置することを特徴とする請求項３記載の水平調整及び検知並びに荷重表示する輸送設備。
【請求項７】
前記表示器は、該支持骨組みに固定することを特徴とする請求項３記載の水平調整及び検知並びに荷重表示する輸送設備。
【請求項８】
前記表示器は、ディスプレイ画面であることを特徴とする請求項１記載の水平調整及び検知並びに荷重表示する輸送設備。
【請求項９】
前記表示器は、音源スピーカーであることを特徴とする請求項１記載の水平調整及び検知並びに荷重表示する輸送設備。
【請求項１０】
前記表示器は光源警告灯であることを特徴とする請求項１記載の水平調整及び検知並びに荷重表示する輸送設備。
【考案の詳細な説明】
【技術分野】
【０００１】
本考案は、輸送システムに関するもので、特に水平調整及び検知並びに荷重表示する輸送設備に係わる。
【背景技術】
【０００２】
現代では、文明の発展によって、都市に人が集中するようになり、狭い土地に人が犇めき合う現象が発生している。建築物の高層化により、有限的に土地利用され、建築物の建築技術、高度はますます高くなっている。各階層を行き来する物は非常に重要で、特にエレベーターは必須の設備であり、エレベーターは高速、制御しやすい、高度な安全性を備えている必要がある。
【０００３】
公知のエレベーター構造は、框体、框体内に設置するかご、垂直に設置するガイドレール、框体下方に多数個設置するブロック、及びブロックを経由して框体を支え、框体昇降をコントロールするワイヤーを含む。
エレベーターは、建築物の昇降通路内を上下直線移動し、人、貨物はエレベーター内で各階を往復し、階段よりもずっと早いため、建築物の必要設備となっている。
【０００４】
他に一般メーカーの工場では、貨物を保管するのに重ねるか、もしくは建築物の異なる階に置き、工場用地空間を節約する。貨物を取り出して車両に移し出荷する時、必ずエレベーターで貨物を高所か、もしくは高層階から下ろし、次に車両に置く。貨物を運ぶ場合、高速道路もしくは港湾に関わらず重量検査所を経て車両上の貨物重量をすべて規格に合わせてから次の工程へ進む。
【０００５】
トラックスケールは、車両に載った物品の重量を測るもので、重量検査所は車道もしくは予め定めた地点に設置し、多数個のロードセル(load cell)を、穴を掘って埋め、ロードセルの上方にはプラットフォームを架設する。
車両がプラットフォーム上に載ると、各ロードセルは分布した位置が異なるので異なるセンサー数値が発生し、次に通信回線でロードセルのセンサー数値プロセッサーへ伝送し、数値処理を経てモニター表示及び/もしくはプリント表示する。
【０００６】
しかしながら、車両が重量検査所で計量する場合、輸送の流れを滞らせることになる。貨物は工場から輸送する過程で重量を測るのが望ましく、重量検査所で計量する時間を節約し、運送速度を早めることができる。
【先行技術文献】
【特許文献】
【０００７】
【特許文献１】特開２００５−１７９０５１号公報
【考案の概要】
【考案が解決しようとする課題】
【０００８】
上述した従来の輸送設備の解決しようとする問題点としては、貨物を昇降設備に載せる昇降輸送をすると貨物超過が発生した場合、超過分を取り出さなければならなかったり、場合によってはすべて取り出して安全範囲に符合する貨物に合わせてから改めて昇降設備内の貨物を測らなければならなかったりして非常に面倒で輸送効率を下げてしまい、輸送の自動化達成が困難になり、且つ昇降設備が超過して危険であり、輸送の安全性が非常に下がる点がある。
【０００９】
本考案は上述の問題点に鑑みなされたもので、輸送設備上の物品の重量を安全範囲にコントロールして表示し、運輸安全性及び輸送効率を向上させる水平調整及び検知並びに荷重表示する輸送設備を提供することにある。
【課題を解決するための手段】
【００１０】
本考案は、基台、複数の荷重検知装置、輸送構造、複数の水平調整構造、及び表示器を含む。複数の荷重検知装置は、基台上にそれぞれ設置する複数の受力センサーと、複数の受力センサーを電気連接するプロセッサーを含み、輸送構造は複数の受力センサー上に架設し、各水平調整構造は、それぞれ各受力センサーの側辺に設置し、且つ基台及び輸送構造の間に挟み、表示器はプロセッサーを電気連接することを最も主要な特徴とする。
【考案の効果】
【００１１】
本考案の水平調整及び検知並びに荷重表示する輸送設備は、輸送設備の水平レベルを調整し、且つ輸送設備上の物品の重量を安全範囲にコントロールして表示し、運輸安全性及び輸送効率を向上させるという利点がある。
【００１２】
すなわち、公知技術と比較して、本考案には以下の効果がある。
物品を輸送設備上で運ぶ時、荷重検知装置を通して輸送構造上の物品を集積して重量の安全範囲にコントロールし、輸送安全性を高め、且つ同時に輸送設備の重量超過を防止することによって、輸送効率を高め、輸送自動化を達成する。
【００１３】
また、本考案の表示器は、輸送構造上の物品重量の数値を提示し、操作者の判断材料として提供し、物品重量が予め設定した基準を超過して発生する危険を防止する。
【００１４】
更に、本考案の水平調整構造は、輸送構造の水平レベルを調整し、輸送構造上に置いた物品が輸送構造の傾斜によって滑り、脱落する危険を防止する。他に、荷重検知装置がメンテナンスもしくは修理によって、輸送設備から取り外した時、水平調整構造が輸送構造を持ち上げて荷重検知装置を取り出しやすくすると同時に、支持作用を備え、組立部品全体を取り外すことなく、修理を行えるので、作業時間が短くて済む。
【図面の簡単な説明】
【００１５】
【図１】本考案の立体分解図である。
【図２】本考案の立体組立図である。
【図３】本考案の作動方式フローチャートである。
【図４】本考案の別の実施例的立体組立図である。
【図５】本考案の昇降設備と合わせた応用指示図である。
【考案を実施するための形態】
【００１６】
本考案者は、研究、開発を行い、公知の問題を改善して、輸送設備の水平レベルを調整し、且つ輸送設備上の物品を重量安全範囲にコントロールして表示し、運輸安全性及び輸送効率を高める水平調整及び検知並びに荷重表示する輸送設備に想到した。
【００１７】
上述の目的を達成するため、本考案は、該水平調整及び検知並びに荷重表示する輸送設備は、基台と、それぞれ該基台上に設置する複数の受力センサー、及び該複数の受力センサーを電気連接するプロセッサーを含む複数の荷重検知装置と、該複数の受力センサー上に架設する輸送装置と、該複数の受力センサーの側辺にそれぞれ設置し、且つ該基台及び該輸送構造の間に挟む複数の水平調整構造と、該プロセッサーを電気連接する表示器を含む構成である。
【実施例】
【００１８】
本考案の実施例の詳細な説明び技術内容を図面と共に以下のとおり、説明する。図面を挙げるのは、説明のためであり、本考案を制限するものではない。
【００１９】
本考案の実施例は、水平調整及び検知並びに荷重表示する輸送設備に関するもので、図１から図３に示すとおり、基台１００、複数の荷重検知装置２００、輸送構造３００、複数の水平調整構造４００、及び表示器５００を含む。
【００２０】
基台１００は、強固で重みに耐える高剛性材から作られ、高負荷能力を備え、「工」字型の鋼鉄もしくは「Ｕ」字型の鋼鉄から構成されるが、この種の構造に制限されない。
【００２１】
複数の荷重検知装置２００は、基台１００に設置する複数の受力センサー２１０、及び各受力センサー２１０に電気連接するプロセッサー２２０をそれぞれ含む。
【００２２】
前記の各受力センサー２１０は、それぞれ基台１００の各角に設置し、受力センサー２１０は、歪みゲージ(strain gage)、ロードセル(load cell)、もしくは圧電変換器(piezoelectric transducer)等受力を測るのに用いるセンサー部品とするが、この主に制限されない。受力センサー２１０が外力もしくは物品重量の力を受けて作用すると、本体が物理的変化量を発し、物理的変化量を電気反応モジュールのメッセージに転換する。メッセージ形態は電気抵抗もしくは電位の変化量のうちのどちらかである。
【００２３】
プロセッサー２２０は一種のマイクロコンピュータであり、各一受力センサー２１０の電気反応メッセージを検出してキャプチャーするのに用い、且つ分析して演算した後、それを一データ信号に転換する。プロセッサー２２０は、基台１００に固定するか、もしくはその他の場所に設置するが、特に制限を加えない。また各受力センサー２１０との電気連接方式は、有線伝送もしくは無線伝送とする。
【００２４】
輸送構造３００は、各受力センサー２１０上に架設し、輸送構造３００は支持骨組み３１０及び輸送台３２０を含む。
支持骨組み３１０は、各受力センサー２１０上に架設する。支持骨組み３１０は、強固で重みに耐える高剛性材で製造し、高負荷能力を備え、「工」字型鋼鉄もしくは「Ｕ」字型鋼鉄で組立てるが、この種の構造に制限されない。
輸送台３２０は、支持骨組み３１０に設置し、輸送台３２０はローター・ユニットとするが、この種の構造に制限されない。
【００２５】
物品が輸送台３２０上に載ると、輸送台３２０によって移動する。輸送的目的を達成するため、この時同時に、各受力センサー２１０が置いた物品の重量をセンサーし、メッセージを出力してプロセッサー２２０に伝え、プロセッサー２２０はデータ信号を演算して出す。
【００２６】
各水平調整構造４００は、それぞれ各受力センサー２１０の側辺に設置し、且つ基台１００及び輸送構造３００の間に挟み、基台１００及び支持骨組み３１０の間に設置する。つまり、支持骨組み３１０は各受力センサー２１０及び各水平調整構造４００上に架設し、また各水平調整構造４００は、それぞれ基台１００各角に設置する。
【００２７】
各水平調整構造４００の主な用途として、輸送台３２０の水平レベルを調整し、輸送台３２０上に置いた物品が、輸送台３２０の傾斜が原因で滑り落ちる危険を防止する。他に、受力センサー２１０をメンテナンスもしくは修理するために、輸送設備から取り出す場合、水平調整構造４００が骨組み３１０を支持して持ち上げているため、受力センサー２１０を取り出しやすく、同時に支持作用を備え、設備全体を取り外すことなく、修理でき、作業時間を節約する。
【００２８】
表示器５００はプロセッサー２２０を電気連接する。その電電気連接方式は、有線伝送もしくは無線伝送で、表示器５００は、支持骨組み３１０を固定するか、もしくはその他明らかに分かる場所に設置するが、特に制限をしない。
表示器５００は、プロセッサー２２０が出力したデータ信号を受け取って読み取るのに用い、輸送設備の操作者に提示する。表示器５００は、ディスプレイ画面、音源スピーカー、光源警告灯、もしくはその他任意の組み合わせであるが、これらを特に制限しない。
【００２９】
表示器５００がディスプレイ画面であった場合、ディスプレイ画面がプロセッサー２２０のデータ信号を受信して読み取り、輸送構造３００に置いた物品の重量数値を表示し、操作者に判断の材料を提供し、重量超過に依る危険を防止する。
【００３０】
表示器５００が音源スピーカーであった場合、音源スピーカーがプロセッサー２２０のデータ信号を受信して読み取り、置いた物品重量の音声信号を発する。例として置いた重量の数値を発音する、もしくは置いた物品の重量レベルを音声記号として知らせ、基準内の時には音声を出さず、基準を超えた時には警報を発する。
【００３１】
表示器５００が光源警告灯であった場合、光源警告灯がプロセッサー２２０のデータ信号を受信して読み取り、置いた物品の重量の光信号を発射する。例として、置いた物品の重量レベルに基づき、基準内の時には緑ランプを発射し、基準を超えた場合には赤ランプを発射する。
【００３２】
他の実施例として図４に示すとおり、輸送台３２０は輸送ベルトとするか、もしくは輸送台３２０を輸送ベルト及びローター・ユニットの結合とする。
【００３３】
図５に示すのは、本考案の水平調整及び検知並びに荷重表示する輸送設備を昇降設備と合わせて応用した実施例で、輸送設備は昇降設備前方に配置する。即ち、物品が輸送設備から昇降設備へ送る昇降運輸の前に行い、荷重検知装置２００を通して輸送構造３００上に置いた物品を安全範囲にコントロールして運輸安全性を高め、輸送設備もしくは昇降設備の重量超過を防止し、同時に輸送効率を高め、輸送自動化を達成する。
【００３４】
以上説明したように、本考案の各実施例の水平調整及び検知並びに荷重表示する輸送設備は、輸送設備の水平レベルを調整し、且つ輸送設備上の物品の重量を安全範囲にコントロールして表示し、運輸安全性及び輸送効率を向上させる。すなわち、公知技術と比較して、本考案には以下の効果がある。
物品を輸送設備上で運ぶ時、荷重検知装置を通して輸送構造上の物品を集積して重量の安全範囲にコントロールし、輸送安全性を高め、且つ同時に輸送設備の重量超過を防止することによって、輸送効率を高め、輸送自動化を達成する。
【００３５】
また、本考案の各実施例の表示器は、輸送構造上の物品重量の数値を提示し、操作者の判断材料として提供し、物品重量が予め設定した基準を超過して発生する危険を防止する。
【００３６】
更に、本考案の各実施例の水平調整構造は、輸送構造の水平レベルを調整し、輸送構造上に置いた物品が輸送構造の傾斜によって滑り、脱落する危険を防止する。他に、荷重検知装置がメンテナンスもしくは修理によって、輸送設備から取り外した時、水平調整構造が輸送構造を持ち上げて荷重検知装置を取り出しやすくすると同時に、支持作用を備え、組立部品全体を取り外すことなく、修理を行えるので、作業時間が短くて済む。
【００３７】
上述のとおり、本考案は、既に産業利用性、新規性及び進歩性を備え、本考案にはその他、多種の実施例があり、本考案の精神から乖離しない状況に於いて、本領域に習熟した技術者が各種の変更や修飾を行う事があっても、これらの変更や変形は本考案の請求範囲に属する。
【符号の説明】
【００３８】
１００  基台
２００  荷重検知装置
２１０  受力センサー
２２０  プロセッサー
３００  輸送構造
３１０  支持骨組み
３２０  輸送台
４００  水平調整構造
５００  表示器
【図１】
0003166724.tif 000003
【図２】
0003166724.tif 000004
【図３】
0003166724.tif 000005
【図４】
0003166724.tif 000006
【図５】
0003166724.tif 000007